(57)【要約】【課題】購入対象商品管理アプリケーションに登録された商品を提示するにあたり、商品の掲載されていた電子チラシの有効期限についてユーザが確認可能なように提示できるようにする。【解決手段】電子チラシから切り出した部分画像と電子チラシの有効期限とを含む購入対象商品情報を記憶することにより購入対象商品情報の登録を行う。購入対象商品に関連する購入対象商品情報画面を表示するにあたり、購入対象商品情報に含まれる有効期限が終了していない購入対象商品については、電子チラシから切り出した部分画像を商品画像の領域に表示する。一方、購入対象商品情報に含まれる有効期限が終了している購入対象商品については、対応の商品が掲載されていた電子チラシの有効期限が終了していることを示すメッセージ画像を商品画像の領域に表示する。【選択図】図１２
2015049817.tif 000002
【特許請求の範囲】
【請求項１】
ユーザが購入対象とする商品として登録された購入対象商品ごとに対応する購入対象商品情報を管理するにあたり、電子チラシの画像から一部を選択する選択操作に応じて購入対象商品が登録された場合、前記選択操作により選択された電子チラシの部分画像と前記電子チラシの有効期限とを購入対象商品情報に含めて管理する購入対象商品管理部と、
前記部分画像と前記電子チラシの有効期限とを含む購入対象商品情報に基づいて購入対象商品に関連する購入対象商品情報画面の表示を行うにあたり、対応の購入対象商品情報に含まれる有効期限が終了していない購入対象商品については、購入対象商品情報に含まれる部分画像を購入対象商品情報画面における商品画像の領域に表示し、対応の購入対象商品情報に含まれる有効期限が終了している購入対象商品については、有効期限が終了していることを示すメッセージ画像を購入対象商品情報画面における商品画像の領域に表示する購入対象商品情報表示制御部と
を備える購入対象商品管理装置。
【請求項２】
前記購入対象商品情報表示制御部は、
前記購入対象商品情報画面として、購入対象商品情報ごとに対応する購入対象商品の一覧を表示し、一覧における購入対象商品ごとに対応する商品画像の領域に前記部分画像または前記メッセージ画像を表示する
請求項１に記載の購入対象商品管理装置。
【請求項３】
前記購入対象商品情報表示制御部は、
前記選択された購入対象商品についての詳細情報を前記購入対象商品情報画面として表示し、前記詳細情報の１つである商品画像の領域に前記部分画像または前記メッセージ画像を表示する
請求項１に記載の購入対象商品管理装置。
【請求項４】
ユーザが購入対象とする商品として登録された購入対象商品ごとに対応する購入対象商品情報を管理するにあたり、電子チラシの画像から一部を選択する選択操作に応じて購入対象商品が登録された場合、前記選択操作により選択された電子チラシの部分画像と前記電子チラシの有効期限とを購入対象商品情報に含めて管理する購入対象商品管理ステップと、
前記部分画像と前記電子チラシの有効期限とを含む購入対象商品情報に基づいて購入対象商品に関連する購入対象商品情報画面の表示を行うにあたり、対応の購入対象商品情報に含まれる有効期限が終了していない購入対象商品については、購入対象商品情報に含まれる部分画像を購入対象商品情報画面における商品画像の領域に表示し、対応の購入対象商品情報に含まれる有効期限が終了している購入対象商品については、有効期限が終了していることを示すメッセージ画像を購入対象商品情報画面における商品画像の領域に表示する購入対象商品情報表示制御ステップと
を備える購入対象商品管理方法。
【請求項５】
コンピュータに、
ユーザが購入対象とする商品として登録された購入対象商品ごとに対応する購入対象商品情報を管理するにあたり、電子チラシの画像から一部を選択する選択操作に応じて購入対象商品が登録された場合、前記選択操作により選択された電子チラシの部分画像と前記電子チラシの有効期限とを購入対象商品情報に含めて管理する購入対象商品管理ステップと、
前記部分画像と前記電子チラシの有効期限とを含む購入対象商品情報に基づいて購入対象商品に関連する購入対象商品情報画面の表示を行うにあたり、対応の購入対象商品情報に含まれる有効期限が終了していない購入対象商品については、購入対象商品情報に含まれる部分画像を購入対象商品情報画面における商品画像の領域に表示し、対応の購入対象商品情報に含まれる有効期限が終了している購入対象商品については、有効期限が終了していることを示すメッセージ画像を購入対象商品情報画面における商品画像の領域に表示する購入対象商品情報表示制御ステップと
を実行させるためのプログラム。
【発明の詳細な説明】
【技術分野】
【０００１】
本発明は、購入対象商品管理装置、購入対象商品管理方法及びプログラムに関する。
【背景技術】
【０００２】
ユーザが買いたいと思った品物を事前に登録しておき、登録された品物の一覧を表示させることにより、ユーザが買いたいと思っていた品物を確認することのできる買い物メモのプログラム（アプリケーション）が知られている（例えば、特許文献１参照）。
また、電子チラシを端末装置に配信し、端末装置にて電子チラシを閲覧することのできる電子チラシの配信システムが知られている（例えば、特許文献２参照）。
【先行技術文献】
【特許文献】
【０００３】
【特許文献１】特開２００４−９４５７２号公報
【特許文献２】特開２０１３−１０９７７１号公報
【発明の概要】
【発明が解決しようとする課題】
【０００４】
電子チラシにはユーザの興味を引く商品が多数掲載されている。このため、ユーザが電子チラシのなかから購入したいと思う商品を見つけた場合に、見つけた商品を買い物メモのアプリケーションに登録するという利用の態様も十分に考えられる。
【０００５】
店舗などでは値引き対象の商品を随時変更しており、電子チラシにも集客効果のために、このような値引き対象の商品が掲載される。このために、電子チラシは、掲載される商品などに応じて有効期限が設定されることが一般的である。
【０００６】
このために、上記の買い物メモのような買い物を管理するアプリケーション（購入対象商品管理アプリケーション）に対して電子チラシに掲載された商品をユーザが登録した場合には、以下のような不具合が生じる可能性がある。
つまり、電子チラシを見て登録したにもかかわらず購入しないでいたために、電子チラシの有効期限は終了しているのに、購入対象商品管理アプリケーションには登録した商品が登録されたままになっているという状態が生じる可能性がある。
ユーザとしては、登録した商品の掲載されていた電子チラシの有効期限が終了しているか否かを正確に思い出すことは難しいため、上記のような状態となった場合には購入の判断に迷うことになる。
また、広告主としても、ユーザ（顧客）には、常に最新のチラシの情報を利用してもらいたいという意向があるため、上記のように電子チラシに掲載された商品に関する情報を、有効期限切れであるか否かが曖昧な状態で有していることは好ましくない。
【０００７】
本発明は、このような事情に鑑みてなされたもので、購入対象商品管理アプリケーションに登録された商品を提示するにあたり、商品の掲載されていた電子チラシの有効期限についてユーザが確認可能なように提示できるようにすることを目的とする。
【課題を解決するための手段】
【０００８】
上述した課題を解決するために、本発明の一態様としての購入対象商品管理装置は、ユーザが購入対象とする商品として登録された購入対象商品ごとに対応する購入対象商品情報を管理するにあたり、電子チラシの画像から一部を選択する選択操作に応じて購入対象商品が登録された場合、前記選択操作により選択された電子チラシの部分画像と前記電子チラシの有効期限とを購入対象商品情報に含めて管理する購入対象商品管理部と、前記部分画像と前記電子チラシの有効期限とを含む購入対象商品情報に基づいて購入対象商品に関連する購入対象商品情報画面の表示を行うにあたり、対応の購入対象商品情報に含まれる有効期限が終了していない購入対象商品については、購入対象商品情報に含まれる部分画像を購入対象商品情報画面における商品画像の領域に表示し、対応の購入対象商品情報に含まれる有効期限が終了している購入対象商品については、有効期限が終了していることを示すメッセージ画像を購入対象商品情報画面における商品画像の領域に表示する購入対象商品情報表示制御部とを備える。
【０００９】
また、上記の購入対象商品管理装置において、前記購入対象商品情報表示制御部は、前記購入対象商品情報画面として、購入対象商品情報ごとに対応する購入対象商品の一覧を表示し、一覧における購入対象商品ごとに対応する商品画像の領域に前記部分画像または前記メッセージ画像を表示してもよい。
【００１０】
また、上記の購入対象商品管理装置において、前記購入対象商品情報表示制御部は、前記選択された購入対象商品についての詳細情報を前記購入対象商品情報画面として表示し、前記詳細情報の１つである商品画像の領域に前記部分画像または前記メッセージ画像を表示してもよい。
【００１１】
本発明の一態様としての購入対象商品管理方法は、ユーザが購入対象とする商品として登録された購入対象商品ごとに対応する購入対象商品情報を管理するにあたり、電子チラシの画像から一部を選択する選択操作に応じて購入対象商品が登録された場合、前記選択操作により選択された電子チラシの部分画像と前記電子チラシの有効期限とを購入対象商品情報に含めて管理する購入対象商品管理ステップと、前記部分画像と前記電子チラシの有効期限とを含む購入対象商品情報に基づいて購入対象商品に関連する購入対象商品情報画面の表示を行うにあたり、対応の購入対象商品情報に含まれる有効期限が終了していない購入対象商品については、購入対象商品情報に含まれる部分画像を購入対象商品情報画面における商品画像の領域に表示し、対応の購入対象商品情報に含まれる有効期限が終了している購入対象商品については、有効期限が終了していることを示すメッセージ画像を購入対象商品情報画面における商品画像の領域に表示する購入対象商品情報表示制御ステップとを備える。
【００１２】
本発明の一態様としてのプログラムは、コンピュータに、ユーザが購入対象とする商品として登録された購入対象商品ごとに対応する購入対象商品情報を管理するにあたり、電子チラシの画像から一部を選択する選択操作に応じて購入対象商品が登録された場合、前記選択操作により選択された電子チラシの部分画像と前記電子チラシの有効期限とを購入対象商品情報に含めて管理する購入対象商品管理ステップと、前記部分画像と前記電子チラシの有効期限とを含む購入対象商品情報に基づいて購入対象商品に関連する購入対象商品情報画面の表示を行うにあたり、対応の購入対象商品情報に含まれる有効期限が終了していない購入対象商品については、購入対象商品情報に含まれる部分画像を購入対象商品情報画面における商品画像の領域に表示し、対応の購入対象商品情報に含まれる有効期限が終了している購入対象商品については、有効期限が終了していることを示すメッセージ画像を購入対象商品情報画面における商品画像の領域に表示する購入対象商品情報表示制御ステップとを実行させるためのものである。
【発明の効果】
【００１３】
以上説明したように、本発明によれば、購入対象商品管理アプリケーションに登録された商品を提示するにあたり、商品の掲載されていた電子チラシの有効期限についてユーザが確認可能なように提示できるようになるという効果が得られる。
【図面の簡単な説明】
【００１４】
【図１】本実施形態に係る電子チラシ利用システムの構成例を示す図である。
【図２】本実施形態に係るユーザ端末装置において表示される電子チラシ閲覧画面の態様例を示す図である。
【図３】本実施形態に係るユーザ端末装置において表示される電子チラシ切り抜き操作画面の態様例を示す図である。
【図４】本実施形態に係るユーザ端末装置において表示される電子チラシ切り抜き操作画面として、電子チラシ画像の移動とサイズ変更が行われた場合の一態様例を示す図である。
【図５】本実施形態に係るユーザ端末装置において表示される登録確認画面の態様例を示す図である。
【図６】本実施形態に係るユーザ端末装置において表示される登録完了画面の態様例を示す図である。
【図７】本実施形態に係るユーザ端末装置において表示される購入対象商品一覧画面の態様例を示す図である。
【図８】本実施形態に係るユーザ端末装置において表示される購入対象商品の詳細情報画面として、購入対象商品が掲載されていた電子チラシの有効期限が経過していない場合の態様例を示す図である。
【図９】本実施形態に係るユーザ端末装置において表示される購入対象商品の詳細情報画面として、購入対象商品が掲載されていた電子チラシの有効期限が経過している場合の態様例を示す図である。
【図１０】本実施形態に係るユーザ端末装置において表示される購入対象商品一覧画面において購入済みの商品と未購入の商品とを区分して提示する態様例を示す図である。
【図１１】本実施形態に係るユーザ端末装置において表示される編集画面の態様例を示す図である。
【図１２】本実施形態に係るユーザ端末装置の構成例を示す図である。
【図１３】本実施形態に係る電子チラシのデータの構造例を示す図である。
【図１４】本実施形態に係る購入対象商品情報記憶部が記憶する購入対象商品情報の構造例を示す図である。
【図１５】本実施形態に係るユーザ端末装置が、購入対象商品一覧画面の表示のために実行する処理手順例を示すフローチャートである。
【図１６】本実施形態に係るユーザ端末装置が、購入対象商品一覧画面におけるリスト項目に対するタップ操作に応じた購入済みラインの表示と購入済みフラグの設定のために実行する処理手順例を示すフローチャートである。
【図１７】本実施形態に係るユーザ端末装置が、購入対象商品の詳細情報画面の表示のために実行する処理手順例を示すフローチャートである。
【図１８】本実施形態に係るユーザ端末装置が編集画面に対して行われた操作に応じて実行する処理手順例を示すフローチャートである。
【発明を実施するための形態】
【００１５】
［電子チラシ利用システムの構成例］
図１は、本実施形態に係る電子チラシ利用システムの構成例を示している。同図に示す電子チラシ利用システムは、電子チラシ配信サーバ１００と１以上のユーザ端末装置２００（電子チラシ画像処理装置の一例）とを、ネットワーク３００を介して接続して構成される。
【００１６】
電子チラシ配信サーバ１００は、広告主から提供される電子チラシを記憶している。電子チラシは、例えば新聞の折り込み広告などとして配布される電子チラシを電子化したものである。
電子チラシ配信サーバ１００は、記憶した電子チラシのそれぞれをユーザ端末装置２００に配信する。
電子チラシ配信サーバ１００は、ユーザ端末装置２００からの要求に応じて、ユーザ端末装置２００から指定された電子チラシを配信する。
また、電子チラシ配信サーバ１００は、プッシュ通知により、ユーザごとに指定された配信地域に該当する電子チラシのリストの情報を所定時刻に送信することができる。
【００１７】
ユーザ端末装置２００には、電子チラシを閲覧するための電子チラシ閲覧アプリケーションがインストールされている。ユーザは、電子チラシ閲覧アプリケーションが起動されたユーザ端末装置２００を操作することにより、電子チラシ配信サーバ１００から配信された電子チラシを電子チラシ閲覧アプリケーション上で表示させ、表示された電子チラシを閲覧することができる。
【００１８】
また、ユーザ端末装置２００には、購入対象商品管理アプリケーションがインストールされている。購入対象商品管理アプリケーションは、ユーザが購入するつもりでいる商品（購入対象商品）を管理するアプリケーションである。
ユーザは、購入対象商品管理アプリケーション上で予め用意された商品候補からの商品の選択操作などによって、自分が購入しようと意図している商品（購入対象商品）を登録することができる。
【００１９】
また、ユーザは、所定の操作によって、電子チラシ閲覧アプリケーション上で閲覧していた電子チラシの画像から選択した画像部分を、購入対象商品管理アプリケーションに登録することができる。つまり、本実施形態においては、ユーザが電子チラシ閲覧アプリケーションを閲覧していて買いたいと思った商品が見つかった場合に、その買いたいと思った商品に対応する電子チラシの画像部分を切り抜く操作を行うことで、切り抜いた画像部分を商品に対応させて購入対象商品管理アプリケーションに登録することができる。
【００２０】
また、購入対象商品管理アプリケーションは、操作に応じて、登録された購入対象商品の一覧を表示することができる。また、購入対象商品管理アプリケーションは、購入対象商品の一覧のうちから選択した商品についての詳細情報を表示させることができる。このように表示される一覧や詳細情報などを見ることで、ユーザは、自分が買おうとしていた商品について確認することができる。つまり、購入対象商品管理アプリケーションは、ユーザが買いたいと意図している商品についての備忘録として利用される。
【００２１】
［操作手順例］
続いて、図２から図６を参照して、ユーザ端末装置２００上で電子チラシから選択した一部の画像を購入対象商品管理アプリケーションに登録するための操作手順例と、操作に応じたユーザ端末装置２００の表示態様例について説明する。
【００２２】
図２は、ユーザ端末装置２００の画面部に電子チラシ閲覧画面が表示されている状態を示している。電子チラシ閲覧画面は、閲覧対象として選択された電子チラシの画像が表示される画面である。また、電子チラシ閲覧画面は、電子チラシ閲覧アプリケーション上で表示される画面である。
なお、以降の説明にあたっては、ユーザ端末装置２００の画面部がタッチパネルとして構成されており、表示部の画面に対して指やスタイラスペンなどの操作体を触れることによる操作が可能である場合を例に挙げる。
【００２３】
同図において、電子チラシ表示エリアＡＲ１は、閲覧対象として選択された電子チラシの画像が表示されるエリアである。電子チラシ表示エリアＡＲ１において表示される電子チラシの画像は、画面に対するスライド操作に応じて任意の方向に移動させることができる。これにより、電子チラシ表示エリアＡＲ１からはみ出していた電池チラシの画像部分を表示させることができる。
また、電子チラシ表示エリアＡＲ１において表示される電子チラシの画像は、ピンチアウト、ピンチインの操作などにより、拡大、縮小することができる。
これらの操作により、ユーザは、閲覧対象の電子チラシにおける任意の部分を適切なサイズで閲覧することができる。
【００２４】
また、ユーザ端末装置２００の画面部には、電子チラシ表示エリアＡＲ１に重畳されるように電子チラシ選択エリアＡＲ２が表示される。電子チラシ選択エリアＡＲ２は、閲覧対象の電子チラシを選択する操作が行われる領域である。なお、電子チラシ選択エリアＡＲ２は、所定の操作によって消去することができる。
【００２５】
電子チラシ選択エリアＡＲ２には、閲覧対象候補の電子チラシごとに応じたサムネイル画像が配列されている。ユーザは、配列されたサムネイル画像のうちから閲覧したい電子チラシを示すサムネイル画像に対するタッチ操作を行う。このタッチ操作に応じて、電子チラシ表示エリアＡＲ１にはタッチ操作が行われたサムネイル画像に対応する電子チラシの画像が表示される。
【００２６】
また、ユーザ端末装置２００の画面部において、電子チラシ表示エリアＡＲ１の上側には、店舗名エリアＡＲ３とチラシタイトルエリアＡＲ４とが表示されている。
店舗名エリアＡＲ３は、電子チラシ表示エリアＡＲ１に表示されている電子チラシの提供元である店舗の名称が表示される領域である。
チラシタイトルエリアＡＲ４は、電子チラシ表示エリアＡＲ１に表示されている電子チラシに付与されたタイトルが表示されるエリアである。
【００２７】
ここで、ユーザが、電子チラシ表示エリアＡＲ１に表示されている電子チラシを閲覧していて買いたいと思う商品を見つけ、見つけた商品を購入対象商品管理アプリケーションに登録しようとする場合、ユーザは、以下の操作を行う。
つまり、ユーザは、図２において電子チラシ表示エリアＡＲ１の下側に配置される「買い物メモに登録」ボタンＢＴ１を操作する。
【００２８】
「買い物メモに登録」ボタンＢＴ１に対する操作が行われるのに応じて、購入対象商品管理アプリケーションが有効化される。ここでの購入対象商品管理アプリケーションの有効化とは、購入対象商品管理アプリケーションが起動してアクティブ（有効）な状態となること、あるいは、既に起動してはいるがアクティブではない購入対象商品管理アプリケーションをアクティブな状態に切り替えることである。
このように購入対象商品管理アプリケーションが有効化されることで、ユーザ端末装置２００の画面部において、図３に示す電子チラシ切り抜き操作画面が表示される。電子チラシ切り抜き操作画面は、電子チラシの画像から一部を切り抜く（選択する）ための操作が行われる画面である。
【００２９】
図３に示す電子チラシ切り抜き操作画面は、上記のように起動された購入対象商品管理アプリケーション上で表示される画面である。
電子チラシ切り抜き操作画面は、切り抜き元としての電子チラシ画像Ｐ１が表示され、表示された電子チラシ画像Ｐ１に対して、切り抜きフレームＦＬが重畳して表示される。
【００３０】
電子チラシ画像Ｐ１は、図２に示した電子チラシ閲覧画面において、「買い物メモに登録」ボタンＢＴ１が操作されたときに電子チラシ表示エリアＡＲ１に表示されていたのと同じ電子チラシの画像である。
【００３１】
切り抜きフレームＦＬは、電子チラシ画像Ｐ１から切り抜かれる画像部分を示すために表示される枠である。切り抜きフレームＦＬは、ユーザ端末装置２００の画面部において例えば図３に示す位置とサイズにより固定された状態で、電子チラシ画像Ｐ１に重畳して表示される。
【００３２】
ユーザは、ユーザ端末装置２００の画面部に対するスライド操作に応じて電子チラシ画像Ｐ１を任意の方向に移動させることが可能である。また、ユーザは、所定操作によって電子チラシ画像Ｐ１のサイズを変更することができる。具体的に、ユーザは、画面部に対するピンチアウトの操作により電子チラシ画像Ｐ１を拡大し、ピンチインの操作により電子チラシ画像Ｐ１を縮小することができる。
これらの操作により、ユーザは、電子チラシ画像Ｐ１において、切り抜きたい画像部分が切り抜きフレームＦＬに収まるように調整する。このような操作によって切り抜きフレームＦＬに収められる電子チラシ画像Ｐ１の画像部分は、ユーザが切り抜きたい部分、即ち、電子チラシ画像Ｐ１において、ユーザが購入したい商品が掲載されている部分になる。
【００３３】
一例として、図４には、図３の状態から電子チラシ画像Ｐ１の移動、拡大などの操作を行った結果、電子チラシ切り抜き操作画面において、電子チラシ画像Ｐ１の右上側の１つの商品に対応する画像部分を切り抜きフレームＦＬ内に収めた状態が示されている。
【００３４】
ユーザは、電子チラシ画像Ｐ１から切り抜きたい部分が意図したとおりに切り抜きフレームＦＬに収まっていることを確認すると、電子チラシ画像Ｐ１上に重畳表示されている決定ボタンＢＴ１１を操作する。
決定ボタンＢＴ１１が操作されるのに応じて、購入対象商品管理アプリケーションは、図５に示す登録確認画面を表示する。
【００３５】
図５に示す登録確認画面は、電子チラシ画像Ｐ１から切り抜いた部分の画像（部分画像）に対応する購入対象商品の登録内容を確認するための画面である。同図に示す登録確認画面においては、登録確認画像Ｐ２と、入力ボックスＢｘ１からＢｘ４と、キャンセルボタンＢＴ２１、登録ボタンＢＴ２２が表示される。
【００３６】
登録確認画像Ｐ２は、図３または図４に示した電子チラシ切り抜き操作画面において決定ボタンＢＴ１１が操作された際に切り抜きフレームＦＬ内に収まっていた部分の画像を示す。ユーザは、登録確認画像Ｐ２を見ることにより、電子チラシから切り抜いた画像部分が自分の意図通りであるか否かについて確認することができる。
【００３７】
入力ボックスＢｘ１は、対応の購入対象商品についての名称が入力されるボックスである。電子チラシ画像Ｐ１からの画像の切り抜きに応じて購入対象商品が登録される場合、入力ボックスＢｘ１には、電子チラシ画像Ｐ１の電子チラシにメタデータとして付与されたチラシタイトルが入力済みの状態で表示される。
このように入力ボックスＢｘ１に対してチラシタイトルの文字列が入力されるようになっていることで、電子チラシから切り抜いた画像部分を、切り抜き元の電子チラシのチラシタイトルと関連付けることができる。
【００３８】
なお、登録確認画面の初期表示において入力ボックスＢｘ１に名称として入力されているチラシタイトルは、初期値として入力された暫定的なものである。ユーザは、文字入力操作によって、入力ボックスＢｘ１に入力される文字列を、商品名などの任意の文字列に変更することができる。
入力ボックスＢｘ２は、対応の購入対象商品についての数量が入力されるボックスである。
入力ボックスＢｘ３は、対応の購入対象商品についての単価（価格）が入力されるボックスである。
ここで、入力ボックスＢｘ２と入力ボックスＢｘ３は初期値が未入力となっている。ユーザは、数字入力操作によって、購入したい数量を示す数を入力ボックスＢｘ２に入力することができる。また、ユーザは、数字入力操作によって、購入対象商品についての価格を入力ボックスＢｘ３に入力することができる。
【００３９】
入力ボックスＢｘ４は、対応の購入対象商品を購入する店舗の名称（店舗名）が入力されるボックスである。
電子チラシ画像Ｐ１からの画像の切り抜きに応じて購入対象商品が登録される場合、入力ボックスＢｘ４には、電子チラシ画像Ｐ１の電子チラシにメタデータとして付与された店舗名が初期値として入力された状態で表示される。
このように入力ボックスＢｘ４に対して店舗名が入力されることで、ユーザは、自分で対応の店舗名を入力する必要がない。ただし、ユーザは、入力ボックスＢｘ４に対する文字入力操作によって店舗名を変更できる。
【００４０】
ユーザは、図５に示される登録確認画面の内容を見て、例えば電子チラシ切り抜き操作画面上での操作のやり直しなどのために登録確認画面の内容を破棄したければ、キャンセルボタンＢＴ２１を操作する。キャンセルボタンＢＴ２１の操作に応じて、ユーザ端末装置２００の画面部は、例えば図３に示される電子チラシ切り抜き操作画面に戻る。
【００４１】
一方、図５に示される登録確認画面の内容でよければ、ユーザは、登録ボタンＢＴ２２を操作する。登録ボタンＢＴ２２の操作に応じて、購入対象商品管理アプリケーションは、図５の登録確認画面に示されている内容を含む購入対象商品情報を記憶する。これにより、今回の登録操作に応じた新たな購入対象商品の登録が行われる。また、登録ボタンＢＴ２２の操作に応じて、ユーザ端末装置２００の画面部は、図６に示す登録完了画面の表示に遷移する。
【００４２】
図６に示す登録完了画面においては、図５の登録確認画面において表示されていたのと同じ登録確認画像Ｐ２が表示される。登録完了画面において表示される登録確認画像Ｐ２を見ることで、ユーザは、登録確認画面において確認したのと同じ内容が登録されたことを確認できる。
【００４３】
また、登録完了画面には、登録続行ボタンＢＴ３１と購入対象商品確認ボタンＢＴ３２とが配置されている。
登録続行ボタンＢＴ３１を操作した場合には、ユーザ端末装置２００の画面部は、例えば図３に示される電子チラシ切り抜き操作画面に戻る。これにより、ユーザは、電子チラシからさらに別の商品に対応する画像部分を切り抜いて購入対象商品管理アプリケーションに登録する操作を行うことができる。
【００４４】
一方、購入対象商品確認ボタンＢＴ３２が表示された場合、ユーザ端末装置２００の画面部は、購入対象商品一覧画面の表示に遷移する。購入対象商品一覧画面は、購入対象商品管理アプリケーション上で登録されている購入対象商品の一覧を提示する画像である。
【００４５】
続いて、図７〜図１１を参照して、購入対象商品管理アプリケーションに登録された購入対象商品に関する各種画面についての表示態様例について説明する。
図７は、購入対象商品一覧画面の表示態様例を示している。購入対象商品一覧画面は、通常に購入対象商品管理アプリケーションを起動させる操作を行った場合に初期画面として表示される。また、図６にて説明したように登録確認画面上の購入対象商品確認ボタンＢＴ３２を操作した場合にも購入対象商品一覧画面が表示される。
【００４６】
図７に示す購入対象商品一覧画面においては、購入対象商品リスト領域ＡＲ１１が配置される。購入対象商品リスト領域ＡＲ１１においては、登録済みの購入対象商品ごとに対応するリスト項目が表示される。同図においては、６つの登録済みの購入対象商品ごとに対応する６つのリスト項目が上下方向に沿って配列された例を示している。
【００４７】
本実施形態において、購入対象商品管理アプリケーションに購入対象商品を登録するにあたっては２つの操作方法がある。
１つは、購入対象商品管理アプリケーションが予め用意した商品リストから商品名を選択する操作や、文字入力操作などにより商品名を入力する操作によって購入対象商品を登録するという操作方法（通常登録方法）である。
もう１つは、図２から図６により説明したように、電子チラシから画像部分を切り抜く操作に応じて、購入対象商品を登録するという操作方法（電子チラシ利用登録方法）である。
【００４８】
具体的に、図７において購入対象商品リスト領域ＡＲ１１に配置されるリスト項目において、通常登録方法により登録された購入対象商品のリスト項目は、６番目として最も下に配置されている１つのリスト項目である。
一方、電子チラシ利用登録方法によって登録された購入対象商品のリスト項目は、１番目から５番目までの５つのリスト項目である。
【００４９】
各リスト項目においては、左側にサムネイル画像が表示され、右側に文字列により商品に関連する情報を示す商品情報欄の表示が行われている。リスト項目におけるサムネイル画像は、対応の購入対象商品を示す商品画像の一例である。
【００５０】
ここで、リスト項目ごとのサムネイル画像に着目すると、電子チラシ利用登録方法によって登録された購入対象商品に対応するリスト項目においては、サムネイル画像ＴＨ１とサムネイル画像ＴＨ２との２種類のうちのいずれかが表示されている。
【００５１】
サムネイル画像ＴＨ１は、図３にて説明したように電子チラシ画像Ｐ１から切り抜いた切り抜き画像を縮小してサムネイル画像化したものである。本実施形態において、サムネイル画像ＴＨ１が表示されているリスト項目に対応する購入対象商品は、対応の電子チラシ（サムネイル画像ＴＨ１の生成元の切り抜き画像が切り抜かれた電子チラシ）が有効期限内であることを示している。
【００５２】
一方、サムネイル画像ＴＨ２は、対応の電子チラシの有効期限が経過（終了）していることを示す絵柄によるメッセージ画像である。つまり、サムネイル画像ＴＨ２が表示されているリスト項目に対応する購入対象商品は、対応の電子チラシが有効期限を経過していることを示している。
【００５３】
また、通常登録方法により登録された購入対象商品のリスト項目におけるサムネイル画像ＴＨ３は、購入対象商品管理アプリケーションにおいて、例えば商品ごとに対応して予め用意されたものである。
【００５４】
このようにリスト項目ごとにサムネイル画像が配置された購入対象商品リスト領域ＡＲ１１を見ることによって、ユーザは、各リスト項目が、通常登録方法により登録された購入対象商品と電子チラシ利用登録方法により登録された購入対象商品のうちのいずれであるのかを確認できる。
そのうえで、ユーザは、電子チラシ利用登録方法により登録された購入対象商品のリスト項目については、対応の電子チラシが有効期限内であるか否かを確認することができる。これにより、ユーザは、例えば電子チラシの有効期限が終了している商品であるにもかかわらず、今でも特売品であると思い込んでしまうようなことを避けることができる。
【００５５】
また、通常登録方法により登録された購入対象商品のリスト項目における商品情報欄においては、登録された購入対象商品の商品名を示す文字列が表示される。
電子チラシ利用登録方法により登録された購入対象商品のリスト項目における商品情報欄においては、切り抜き元の電子チラシのデータに含まれていたチラシタイトルと店舗名が、それぞれ商品名、店舗名として文字列により表示される。
【００５６】
また、図７に示されるリスト項目ごとにおいては、右側に詳細情報表示ボタンＢＴ３５が表示されている。詳細情報表示ボタンＢＴ３５が操作されることによっては、対応のリスト項目が示す購入対象商品についての詳細情報を示す詳細情報画面が表示される。
【００５７】
図８は、電子チラシ利用登録方法によって登録された購入対象商品に対応するリスト項目のうち、対応の電子チラシの有効期限が終了していないリスト項目（図７においてサムネイル画像ＴＨ１が表示されたリスト項目）における詳細情報表示ボタンＢＴ３５を操作した場合に表示される詳細情報画面の態様例を示している。
同図に示す詳細情報画面においては、詳細情報の１つである商品画像を表示する商品画像の領域において切り抜き画像Ｐ１１が表示される。
また、同図に示す詳細情報画面においては、他の詳細情報を表示する部位として、図５と同様の入力ボックスＢｘ１からＢｘ４が表示される。ユーザは、このように詳細情報画面において表示される入力ボックスＢｘ１からＢｘ４に対しても文字入力操作を行って、入力内容を変更できる。
【００５８】
一方、図９は、電子チラシ利用登録方法によって登録された購入対象商品に対応するリスト項目のうち、対応の電子チラシの有効期限が経過したリスト項目（図７においてサムネイル画像ＴＨ２が表示されたリスト項目）における詳細情報表示ボタンＢＴ３５を操作した場合に表示される詳細情報画面の態様例を示している。
同図に示す詳細情報画面においては、商品画像の領域において対応のチラシの有効期限が経過していることを示すメッセージ画像Ｐ１２が表示される。また、同図の詳細情報画面においても、図８と同様に、入力ボックスＢｘ１からＢｘ４が表示される。
【００５９】
また、図示は省略するが、通常登録方法によって登録された購入対象商品に対応するリスト項目に対応する詳細情報画面においては、商品画像の領域において、サムネイル画像ＴＨ３と同様の画像が表示され、図８と同様に入力ボックスＢｘ１からＢｘ４が表示される。
【００６０】
このように、本実施形態においては、詳細情報画面を見ることによっても、対応の購入対象商品が通常登録方法と電子チラシ利用登録方法とのいずれにより登録されたものであるのかを確認することができる。そのうえで、電子チラシ利用登録方法により登録された購入対象商品の詳細情報画面については、切り抜き画像Ｐ１１とメッセージ画像Ｐ１２とのいずれが商品画像として表示されているのかにより、対応の電子チラシの有効期限が経過しているか否かを確認できる。
【００６１】
また、購入対象商品一覧画面の購入対象商品リスト領域ＡＲ１１において示されるリスト項目に対応する購入対象商品をユーザが購入した場合には、購入した商品に対応するリスト項目において購入済みであることを示す表示を付加することができる。
このために、ユーザは、購入対象商品リスト領域ＡＲ１１において示されるリスト項目のうち、購入した商品に対応するリスト項目に対してタッチ操作を行う。タッチ操作に応じて、タッチ操作が行われたリスト項目においては、購入済みであることを示す購入済み画像が付加される。
【００６２】
一例として、図１０に示すように、タッチ操作が行われたリスト項目においては、取り消し線を模したデザインの購入済み画像ＬＮが表示される。
このように購入対象商品一覧画面においてリスト項目ごとに購入済み画像ＬＮが表示されることで、ユーザは、購入対象商品として登録した商品のうちのいずれが購入済みで、いずれが未購入であるのかを確認することができる。
なお、購入済み画像ＬＮは、対応のリスト項目が再びタッチ操作されるのに応じて消去される。
また、図８または図９に示す詳細情報画面における「買い物メモ」ボタンＢＴ４１に対するタッチ操作が行われるのに応じて、ユーザ端末装置２００の画面部は、図７の購入対象商品一覧画面の表示に戻る。
【００６３】
また、購入対象商品一覧画面が表示されている状態において編集画面への遷移を指示する所定操作が行われるのに応じては、ユーザ端末装置２００の画面部は、購入対象商品一覧画面から編集画面に遷移する。
【００６４】
なお、購入対象商品管理アプリケーションは、他の一般的なアプリケーションと同様に、例えば、ホーム画面などに表示された購入対象商品管理アプリケーションのアイコンをタッチするという通常の起動操作に応じて起動させることができる。
このように通常の起動操作によって購入対象商品管理アプリケーションが起動された場合には、図７または１０に例示した態様の購入対象商品一覧画面が最初に表示されるようになっている。このように起動操作に応じて表示される購入対象商品一覧画面には、そのときに購入対象商品情報記憶部２３１が記憶している購入対象商品情報の登録内容（購入済みか否かの設定内容も含む）が反映されている。つまり、購入対象商品管理アプリケーションにおけるメインの画面は、購入対象商品一覧画面である。
しかし、本実施形態においては、前述のように、図２の電子チラシ閲覧画面「買い物メモに登録」ボタンＢＴ１に対する操作に応じて購入対象商品管理アプリケーションが起動された場合には、購入対象商品一覧画面ではなく、図３に示したように電子チラシ切り抜き操作画面が表示されようにしている。これにより、電子チラシから選んだ画像を切り抜いて購入対象商品を購入対象商品管理アプリケーションに登録するという操作が円滑に行われるようにしている。
【００６５】
図１１は、編集画面の態様例を示している。同図に示す編集画面においては、購入対象商品の登録の削除に関連する操作を行うためのボタンとして、「買い物メモを空にする」ボタンＢＴ５１と、「購入済み商品を削除」ボタンＢＴ５２が配置される。
ユーザは、購入対象商品管理アプリケーションに登録されている全ての購入対象商品を削除したい場合に、「買い物メモを空にする」ボタンＢＴ５１を操作する。「買い物メモを空にする」ボタンＢＴ５１の操作に応じて、購入対象商品管理アプリケーションに登録されていた全ての購入対象商品が削除される。
【００６６】
また、ユーザは、購入対象商品管理アプリケーションに登録されている購入対象商品のうちで購入済みのものを削除したい場合に、「購入済み商品を削除」ボタンＢＴ５２を操作する。「購入済み商品を削除」ボタンＢＴ５２の操作に応じて、購入対象商品管理アプリケーションに登録されていた購入対象商品のうち、購入済みとして設定されていた購入対象商品が削除される。このように削除が行われる結果、購入対象商品一覧画面からは、図１０に示したように購入済み画像ＬＮが表示されていたリスト項目が全て削除される。
【００６７】
［ユーザ端末装置の構成例］
図１２は、本実施形態に係るユーザ端末装置２００の構成例を示している。同図に示すユーザ端末装置２００は、通信部２０１、制御部２０２、記憶部２０３、表示部２０４及び操作部２０５を備える。
通信部２０１は、ネットワークを経由して電子チラシ配信サーバ１００と通信を実行する。
【００６８】
制御部２０２は、ユーザ端末装置２００にインストールされた電子チラシ閲覧アプリケーションにより、電子チラシの閲覧に対応する処理を実行する。また、制御部２０２は、ユーザ端末装置２００にインストールされた購入対象商品管理アプリケーションにより、購入対象商品の管理に対応する処理を実行する。
【００６９】
制御部２０２は、電子チラシ閲覧アプリケーション対応部２１０と、購入対象商品管理アプリケーション対応部２２０とを備える。電子チラシ閲覧アプリケーション対応部２１０は、ユーザ端末装置２００にインストールされた電子チラシ閲覧アプリケーションに応じた処理を実行する。電子チラシ閲覧アプリケーション対応部２１０は、ユーザ端末装置２００にインストールされた電子チラシ閲覧アプリケーションに応じた処理を実行する。
【００７０】
電子チラシ閲覧アプリケーション対応部２１０は、例えば以下の処理を実行する。
電子チラシ閲覧アプリケーション対応部２１０は、電子チラシ配信サーバ１００が配信する電子チラシを取得する。
電子チラシの取得にあたり、電子チラシ閲覧アプリケーション対応部２１０は、通信部２０１からネットワーク３００を介して電子チラシ配信サーバ１００に対して閲覧対象の電子チラシを指定して電子チラシ要求を送信する。電子チラシは、例えばチラシＩＤと店舗ＩＤとの組合せによって指定される。
例えば広告主としては異なるが同系列店であるために電子チラシの内容が複数の店舗で同じであることがから、複数の店舗のそれぞれが提供する電子チラシが同じチラシＩＤとなる場合がある。このような場合には、チラシＩＤと店舗ＩＤとを組合せることにより１つの広告主の店舗が提供した電子チラシを一意に特定できる。
【００７１】
電子チラシ配信サーバ１００は、電子チラシ要求の受信に応答して、受信した電子チラシ要求が指定する電子チラシのデータを、電子チラシ要求の送信元のユーザ端末装置２００に送信する。送信された電子チラシのデータは、通信部２０１にて受信される。電子チラシ閲覧アプリケーション対応部２１０は、通信部２０１にて受信された電子チラシのデータを取得する。
【００７２】
図１３は、電子チラシのデータの構造例を示している。同図に示す電子チラシのデータは、チラシＩＤ、チラシタイトル、店舗ＩＤ、店舗名、有効期限及びチラシデータを含む。
チラシＩＤは、対応の電子チラシに固有の識別子を示す。
チラシタイトルは、対応の電子チラシに付与されたタイトルとしての文字列を示す。チラシタイトルは、例えば図２におけるチラシタイトルエリアＡＲ４におけるチラシタイトルや、図５における入力ボックスＢｘ１における名称としての初期値の入力などに利用される。
【００７３】
店舗ＩＤは、対応の電子チラシの広告主である店舗に付与された固有の識別子を示す。
店舗名は、対応の電子チラシの広告主である店舗の名称としての文字列を示す。前述のように、店舗名は、図２における店舗名エリアＡＲ３における店舗名としての文字列の表示や、図５における入力ボックスＢｘ４において入力される初期値などに利用される。
有効期限は、対応の電子チラシの有効期限を示す。
【００７４】
チラシデータは、対応の電子チラシとしてのデータである。チラシデータを利用することにより図２における電子チラシ表示エリアＡＲ１の画像や、図３などにおける電子チラシ画像Ｐ１が表示される。
【００７５】
説明を図１２に戻す。
電子チラシ閲覧アプリケーション対応部２１０は、電子チラシ配信サーバ１００から取得した閲覧対象の電子チラシを表示部２０４にて表示させる。これにより、図２に例示した電子チラシ閲覧画面が表示部２０４の画面部にて表示される。
【００７６】
また、電子チラシ閲覧アプリケーション対応部２１０は、「買い物メモに登録」ボタンＢＴ１に対する操作が行われるのに応じて、以下の処理を実行する。つまり、電子チラシ閲覧アプリケーション対応部２１０は、「買い物メモに登録」ボタンＢＴ１が操作されたときに閲覧対象として表示されていた電子チラシを示す電子チラシ指定情報を購入対象商品管理アプリケーションに受け渡す。
【００７７】
電子チラシ指定情報は、指定の電子チラシのチラシＩＤと店舗ＩＤとを含む。本実施形態においては、前述のようにチラシＩＤと店舗ＩＤとにより１つの電子チラシが特定される。
なお、電子チラシ指定情報には、チラシＩＤと店舗ＩＤの他に、指定の電子チラシについてのチラシタイトル、枚数、レイアウトなどの情報が含まれてもよい。
【００７８】
次に、購入対象商品管理アプリケーション対応部２２０について説明する。
購入対象商品管理アプリケーション対応部２２０は、電子チラシ取得部２２１、切り抜き操作画面表示制御部２２２、切り抜き画像取得部２２３、購入対象商品管理部２２４及び購入対象商品情報表示制御部２２５を備える。
【００７９】
電子チラシ取得部２２１は、電子チラシ閲覧アプリケーション対応部２１０から受け渡された電子チラシ指定情報により指定される電子チラシを取得する。
電子チラシ閲覧アプリケーション対応部２１０から受け渡された電子チラシ指定情報には、指定の電子チラシに対応するチラシＩＤと店舗ＩＤとが含まれている。電子チラシ取得部２２１は、受け渡された電子チラシ指定情報に含まれるチラシＩＤと店舗ＩＤとの組合せに対応する電子チラシを要求する電子チラシ要求を電子チラシ配信サーバ１００に送信する。
電子チラシ配信サーバ１００は、送信された電子チラシ要求に応答して電子チラシのデータを送信し、送信された電子チラシのデータはユーザ端末装置２００の通信部２０１にて受信される。電子チラシ取得部２２１は、受信された電子チラシのデータを取得する。
このようにして、電子チラシ取得部２２１は、「買い物メモに登録」ボタンＢＴ１に対する操作が行われていたときに電子チラシ表示エリアＡＲ１に表示されていた電子チラシを取得することができる。
【００８０】
切り抜き操作画面表示制御部２２２は、電子チラシ取得部２２１によって取得された電子チラシに基づく電子チラシ画像からの切り抜き画像（部分画像）の切り抜き（選択）に関連する操作画面を表示する。
具体的に、切り抜き操作画面表示制御部２２２は、電子チラシ画像からの切り抜き画像の切り抜きに関連する操作画面として、図３に例示した電子チラシ切り抜き操作画面を表示することができる。
電子チラシ切り抜き操作画面を表示するにあたり、切り抜き操作画面表示制御部２２２は、電子チラシ取得部２２１によって取得された電子チラシのデータを利用して、電子チラシ画像Ｐ１を生成する。切り抜き操作画面表示制御部２２２は、生成した電子チラシ画像Ｐ１を表示し、表示した電子チラシ画像Ｐ１に対してさらに切り抜きフレームＦＬや決定ボタンＢＴ１１を重畳させる。
【００８１】
切り抜き画像取得部２２３は、電子チラシ切り抜き操作画面における電子チラシ画像Ｐ１の一部を切り抜く操作に応じて、電子チラシ画像から一部を切り抜いた（選択した）切り抜き画像を取得する。
【００８２】
具体的に、切り抜き画像取得部２２３は、図３及び図４により説明したように、電子チラシ切り抜き操作画面に対して行われる電子チラシ画像Ｐ１の移動、拡大、縮小の操作に応じて、電子チラシ画像Ｐ１の移動、拡大、縮小を行う。このように電子チラシ画像Ｐ１の移動、拡大、縮小が行われることで、切り抜きフレームＦＬに収まる電子チラシ画像Ｐ１の画像部分が変更される。
そして、切り抜き画像取得部２２３は、決定ボタンＢＴ１１に対する操作が行われたときに切り抜きフレームＦＬに収まっていた電子チラシ画像Ｐ１の画像部分を切り抜き画像として取得する。
【００８３】
購入対象商品管理部２２４は、切り抜き画像取得部２２３によって取得された切り抜き画像を、新規登録の購入対象商品に対応付けて記憶する。そのうえで、購入対象商品管理部２２４は、購入対象商品情報を管理するにあたり、電子チラシの画像から一部を切り抜く（選択する）操作に応じて購入対象商品が登録された場合、この操作により切り抜かれた（選択された）電子チラシの部分画像と前記電子チラシの有効期限とを購入対象商品情報に含めて管理する
【００８４】
つまり、購入対象商品管理部２２４は、登録ボタンＢＴ２２に対する操作に応じて、切り抜き画像取得部２２３によって取得された切り抜き画像と、切り抜き画像の切り抜き元の電子チラシ画像Ｐ１が対応する電子チラシの有効期限とを含む購入対象商品情報を生成する。購入対象商品情報は、購入対象商品ごとに対応する情報であって、対応の購入対象商品に関連する所定の情報を含む。
購入対象商品管理部２２４は、生成した購入対象商品情報を、記憶部２０３における購入対象商品情報記憶部２３１に記憶させる。これにより、切り抜き画像に対応する購入対象商品が購入対象商品管理アプリケーション上で新規登録される。
【００８５】
なお、切り抜き画像を含む購入対象商品情報は、記憶部２０３において、購入対象商品管理アプリケーションのみがアクセス可能な領域に記憶される。このため、例えば切り抜き画像のデータが購入対象商品管理アプリケーション以外のアプリケーションによって利用されることはない。
【００８６】
購入対象商品情報表示制御部２２５は、購入対象商品情報記憶部２３１に記憶されている購入対象商品情報を利用して、登録されている購入対象商品に関する購入対象商品情報画面の表示を行う。一例として、購入対象商品情報表示制御部２２５は、購入対象商品情報画面として、図７、図１０に例示した購入対象商品一覧画面を表示することができる。また、購入対象商品情報表示制御部２２５は、購入対象商品情報画面として、図８、図９に例示した詳細情報画面を表示させることができる。
【００８７】
そのうえで、本実施形態の購入対象商品情報表示制御部２２５は、購入対象商品情報に基づいて以下のように購入対象商品情報画面（購入対象商品一覧画面または詳細情報画面）の表示を行う。
つまり、購入対象商品情報表示制御部２２５は、対応の購入対象商品情報に含まれる有効期限を経過してない購入対象商品については、購入対象商品情報に含まれる切り抜き画像（部分画像）を購入対象商品情報画面における商品画像の領域に表示し、対応の購入対象商品情報に含まれる有効期限を経過している購入対象商品については、有効期限が経過していることを示すメッセージ画像を購入対象商品情報画面における商品画像の領域に表示する。
【００８８】
具体的には、購入対象商品情報表示制御部２２５は、購入対象商品一覧画面を表示するにあたり、電子チラシ利用登録方法により登録された購入対象商品のリスト項目については、図７にて説明したように、有効期限を経過しているか否かに応じて、サムネイル画像ＴＨ１、ＴＨ２のいずれか一方を表示する。
また、購入対象商品情報表示制御部２２５は、詳細情報画面を表示するにあたり、図８、図９に例示したように、有効期限を経過しているか否かに応じて、切り抜き画像Ｐ１１とメッセージ画像Ｐ１２のいずれか一方を表示する。
【００８９】
記憶部２０３は、制御部２０２が制御に利用する各種の情報を記憶する。記憶部２０３は、購入対象商品情報記憶部２３１を備える。
購入対象商品情報記憶部２３１は購入対象商品ごとに対応する購入対象商品情報を記憶する。
【００９０】
図１４は、購入対象商品情報記憶部２３１が記憶する購入対象商品情報の構造例を示している。同図における１行（１レコード）が１つの購入対象商品に対応する購入対象商品情報である。
１つの購入対象商品情報は、名称、購入済みフラグ、数量、単価及び切り抜き画像関連情報を含む。
名称は、対応の購入対象商品の名称を示す。
【００９１】
購入済みフラグは、対応の購入対象商品が購入済みであるか否かを示す。本実施形態では、「１」の値の購入済みフラグにより購入済みであることを示し、「０」の値の購入済みフラグにより未購入であることを示す。
【００９２】
数量は対応の購入対象商品の購入数を示す。
単価は、対応の購入対象商品についての単価（価格）を示す。
【００９３】
切り抜き画像関連情報は、電子チラシ利用登録方法により登録された購入対象商品に対応する購入対象商品情報が格納する情報である。なお、通常登録方法により登録された購入対象商品に対応する購入対象商品情報の場合、切り抜き画像関連情報は空欄である。つまり、通常登録方法により登録された購入対象商品に対応する購入対象商品情報には、有意な情報は格納されない。
【００９４】
切り抜き画像関連情報は、例えば、チラシＩＤ、店舗ＩＤ、店舗名、有効期限、切り抜き画像、位置及びサイズの各情報を含む。
チラシＩＤは、対応の購入対象商品を登録する際に画像の切り抜きが行われた電子チラシを示す。
店舗ＩＤは、対応の購入対象商品を登録する際に画像の切り抜きが行われた電子チラシの広告主の店舗を示す。
店舗名は、対応の購入対象商品を登録する際に画像の切り抜きが行われた電子チラシの広告主の店舗の名称を示す。
有効期限は、同じ切り抜き画像関連情報に含まれる切り抜き画像の切り抜き元の電子チラシが有効な日時を示す。
【００９５】
切り抜き画像は、対応の購入対象商品を登録する際に電子チラシから切り抜かれた部分の画像データである。
位置は、対応の切り抜き画像の電子チラシにおける位置を示す。例えば切り抜き画像が四角形である場合には、四角形における頂点の１つを基準点としたうえで、この基準点の座標を位置とすればよい。
サイズは、対応の切り抜き画像のサイズを示す。このサイズは、例えば上記の位置が示す基準点からの縦方向と横方向の長さとして表すことができる。
【００９６】
図１４に示した購入対象商品情報において、名称、数量、単価、店舗名は、それぞれ、図５の登録確認画面における入力ボックスＢｘ１、Ｂｘ２、Ｂｘ３、Ｂｘ４における入力内容と対応する。
【００９７】
なお、購入対象商品情報の構造は、図１４に例示したものに限定されない。一例として、購入対象商品情報は、登録商品リスト情報と、切り抜き画像関連情報とで個別に管理されるようにしてもよい。
この場合、登録商品リスト情報は、通常登録方法または電子チラシ利用登録方法により登録された購入対象商品ごとの商品識別子に、名称、購入済みフラグ、数量、単価などの情報が対応付けられる。
切り抜き画像関連情報は、電子チラシ利用登録方法により登録された購入対象商品ごとに対応する切り抜き画像についての情報であり、例えば切り抜き画像ごとに付与した切り抜き画像識別子ごとに、図１４に示したのと同様の切り抜き画像関連情報における各情報が対応付けられる。
そのうえで、登録商品リスト情報において、電子チラシ利用登録方法により登録された購入対象商品は、対応の切り抜き画像に付与した切り抜き画像識別子を格納する。これにより、登録商品リスト情報において電子チラシ利用登録方法により登録された購入対象商品の情報と、切り抜き画像関連情報とが対応付けられる。
そして、例えば図７、図１０などに示す購入対象商品一覧画面を表示する際には、ユーザ端末装置２００は、登録商品リスト情報と切り抜き画像関連情報から必要な情報を読み出して、購入対象商品ごとに対応するリスト項目の画像を生成すればよい。
【００９８】
［処理手順例］
図１５のフローチャートは、ユーザ端末装置２００が、購入対象商品管理アプリケーション上で購入対象商品一覧画面を表示するために実行する処理手順例を示すフローチャートである。同図に示す処理は、制御部２０２における購入対象商品管理アプリケーション対応部２２０が実行する。
【００９９】
購入対象商品管理アプリケーション対応部２２０において、購入対象商品情報表示制御部２２５は、購入対象商品一覧画面の表示が指示されるのを待機している（ステップＳ１０１−ＮＯ）。
例えば、購入対象商品管理アプリケーションが通常に起動される、あるいは、図６に示した登録完了画面における購入対象商品確認ボタンＢＴ３２が操作されるのに応じて、購入対象商品一覧画面の表示が指示される。
購入対象商品一覧画面の表示が指示されるのに応じて（ステップＳ１０１−ＹＥＳ）、購入対象商品情報表示制御部２２５は、購入対象商品情報記憶部２３１が記憶する購入対象商品情報を読み込む（ステップＳ１０２）。
また、購入対象商品情報表示制御部２２５は、購入対象商品情報記憶部２３１に記憶されている購入対象商品情報に付した番号を示す変数ｎに１を代入する（ステップＳ１０３）。
【０１００】
購入対象商品情報表示制御部２２５は、ｎ番目の購入対象商品情報は、電子チラシ利用登録方法によって登録されたか否かについて判定する（ステップＳ１０４）。
このために、購入対象商品情報表示制御部２２５は、ｎ番目の購入対象商品情報における切り抜き画像関連情報に有意な情報が格納されているか否かについて判定すればよい。
電子チラシ利用登録方法ではなく通常登録方法によって登録されている場合（ステップＳ１０４−ＮＯ）、購入対象商品情報表示制御部２２５は、購入対象商品管理アプリケーションが予め商品に対応して記憶している規定の画像をサムネイル画像として配置したリスト項目の画像を生成する（ステップＳ１０５）。つまり、購入対象商品情報表示制御部２２５は、図７におけるサムネイル画像ＴＨ３が表示されるリスト項目の画像を生成する。
【０１０１】
また、購入対象商品情報表示制御部２２５は、リスト項目の画像の生成にあたり、購入対象商品情報が格納する購入済みフラグが１である場合には購入済み画像ＬＮを付加する。この点については、後述するステップＳ１０７、Ｓ１０８におけるリスト項目の画像の生成にあたっても同様である。
【０１０２】
一方、電子チラシ利用登録方法によって登録されている場合（ステップＳ１０４−ＹＥＳ）、購入対象商品情報表示制御部２２５は、さらに、現在日時がｎ番目の購入対象商品情報の切り抜き画像関連情報に含まれる有効期限内であるか否かについて判定する（ステップＳ１０６）
【０１０３】
現在日時が有効期限内である場合（ステップＳ１０６−ＹＥＳ）、購入対象商品情報表示制御部２２５は、購入対象商品情報の切り抜き画像関連情報に含まれる切り抜き画像をサムネイル画像として配置したリスト項目の画像を生成する（ステップＳ１０７）。つまり、購入対象商品情報表示制御部２２５は、図７におけるサムネイル画像ＴＨ１が表示されるリスト項目の画像を生成する。
一方、現在日時が有効期限を経過している場合（ステップＳ１０６−ＮＯ）、購入対象商品情報表示制御部２２５は、メッセージ画像をサムネイル画像とするリスト項目の画像を生成する（ステップＳ１０８）。つまり、購入対象商品情報表示制御部２２５は、図７におけるサムネイル画像ＴＨ２が表示されるリスト項目の画像を生成する。
【０１０４】
購入対象商品情報表示制御部２２５は、ステップＳ１０５、Ｓ１０７、Ｓ１０８の処理のいずれかを実行した後、変数ｎが最大値以上であるか否かについて判定する（ステップＳ１０９）。変数ｎの最大値は、購入対象商品情報記憶部２３１が記憶する購入対象商品情報の数に対応する。つまり、変数ｎの最大値は、購入対象商品管理アプリケーションに登録された購入対象商品の数に対応する。
変数ｎが最大値未満である場合には（ステップＳ１０９−ＮＯ）、購入対象商品情報記憶部２３１が記憶する購入対象商品情報のうちで、まだ、リスト項目の画像が生成されていない購入対象商品情報が残っている。そこで、購入対象商品情報表示制御部２２５は、変数ｎについてインクリメントしたうえで（ステップＳ１１０）、ステップＳ１０４の処理に戻る。これにより、次の番号の購入対象商品情報に基づくリスト項目の画像の生成が実行される。
【０１０５】
そして、購入対象商品情報記憶部２３１に記憶される全ての購入対象商品情報についてのリスト項目の画像が生成され、変数ｎが最大値となるのに応じて（ステップＳ１０９−ＹＥＳ）、購入対象商品情報表示制御部２２５は、以下の処理を実行する。
つまり、購入対象商品情報表示制御部２２５は、これまでに生成したリスト項目の画像を利用して購入対象商品一覧画面を表示する（ステップＳ１１１）。
【０１０６】
なお、ステップＳ１０１からＳ１１０までの処理では、購入対象商品情報記憶部２３１に記憶される全ての購入対象商品情報に対応するリスト項目の画像を生成する。これに対して、図７に例示したように、購入対象商品一覧画面における購入対象商品リスト領域ＡＲ１１に表示できるリスト項目は一定数に限られる。
このため、ステップＳ１１１による購入対象商品一覧画面の表示にあたり、購入対象商品情報表示制御部２２５は、全ての購入対象商品情報に対応して生成したリスト項目の画像のうちから一定数のリスト項目の画像を購入対象商品リスト領域ＡＲ１１に表示する。残りのリスト項目の画像は、例えば購入対象商品リスト領域ＡＲ１１に対する操作に応じてリスト項目の画像をスクロールする際に利用される。
【０１０７】
図１６のフローチャートは、ユーザ端末装置２００が、購入対象商品一覧画面におけるリスト項目に対するタップ操作に応じた購入済みラインの表示と購入済みフラグの設定のために実行する処理手順例を示している。
ユーザ端末装置２００における購入対象商品情報表示制御部２２５は、購入対象商品一覧画面を表示している状態において、購入対象商品リスト領域ＡＲ１１におけるリスト項目に対するタップ操作が行われるのを待機している（ステップＳ２０１−ＮＯ）。
【０１０８】
リスト項目に対するタップ操作が行われるのに応じて（ステップＳ２０１−ＹＥＳ）、購入対象商品情報表示制御部２２５は、タップ操作が行われたリスト項目に対応する購入対象商品情報が格納する購入済みフラグが「１」であるか否かについて判定する（ステップＳ２０２）。「１」の購入済みフラグは購入済みであることを示す。
【０１０９】
購入済みフラグが「０」である場合（ステップＳ２０２−ＮＯ）、購入対象商品管理部２２４は、タップ操作が行われたリスト項目に対応して購入対象商品情報記憶部２３１に記憶されている購入対象商品情報における購入済みフラグを「１」に変更する（ステップＳ２０３）。
このように購入済みフラグが「１」に変更されるのに応じて、購入対象商品情報表示制御部２２５は、タップ操作が行われたリスト項目に購入済みラインＬＮが付加されるように表示する（ステップＳ２０４）。
【０１１０】
一方、購入済みフラグが「１」である場合（ステップＳ２０２−ＹＥＳ）、購入対象商品管理部２２４は、タップ操作が行われたリスト項目に対応して購入対象商品情報記憶部２３１に記憶されている購入対象商品情報における購入済みフラグを「０」に変更する（ステップＳ２０５）。
このように購入済みフラグが「０」に変更されるのに応じて、購入対象商品情報表示制御部２２５は、タップ操作が行われたリスト項目において表示されていた購入済みラインＬＮを消去する（ステップＳ２０６）。
このようにして、リスト項目に対するタップ操作に応じて、購入対象商品情報における購入済みフラグが変更される。また、変更された購入済みフラグに基づいて、リスト項目における購入済みラインＬＮの付加あるいは消去が行われる。
【０１１１】
なお、図示による説明は省略するが、本実施形態の購入対象商品管理アプリケーション対応部２２０は、購入済みとされた購入対象商品を購入履歴情報に登録する。つまり、購入対象商品管理アプリケーション対応部２２０は、購入対象商品一覧画面におけるリスト項目に対するタップ操作に応じて購入済みフラグが「１」となった購入対象商品を、購入履歴に登録する。
ただし、購入対象商品を購入済みとする上記のタップ操作がユーザの押し間違いによる場合もある。このような押し間違いに応じて購入履歴の登録が確定されることは好ましくない。
そこで、購入対象商品管理アプリケーション対応部２２０は、購入済みフラグに「１」が設定されるのに応じて購入履歴にも登録を行った後において、その日が終了する２４：００を経過するまでの間に購入済みフラグが「０」に変更されたのであれば、購入履歴への登録を解除する。これにより、押し間違いなどでリスト項目にタップ操作が行われて購入済みが設定されてしまったとしても、その後において再びタップ操作が行われれば、購入済みが解除されるとともに、購入履歴からも削除される。
一方、購入済みフラグに「１」が設定されるのに応じて購入履歴にも登録を行った後において、その日が終了する２４：００を経過するまで購入済みフラグが「１」のまま変更されなかった場合には、購入履歴の登録が確定される。確定後においては、対応のリスト項目に対するタップ操作が行われて購入済みが解除されたとしても、購入履歴から購入対象商品が削除されることはない。これにより、例えば、ほぼ毎日購入するような商品を購入対象商品管理アプリケーションに登録した上で、日々、購入するごとに購入済みを設定し、次の日になって一旦購入済みを解除しておいたうえで商品を購入したのに応じて購入済みを設定するという使い方にも対応できる。
【０１１２】
また、購入履歴情報に購入済みとして登録された購入対象商品は、購入済みの操作が行われた日付に対応して管理されており、購入対象商品管理アプリケーション対応部２２０は、操作に応じて、同じ日付に購入済みとする操作が行われた購入対象商品のリストを示す購入済み商品リストを表示することができる。
購入済み商品リストにおいては、購入商品ごとに対応するリスト項目ごとに、図７の購入対象商品一覧画面のリスト項目と同様に、サムネイル画像と商品情報欄が表示される。
この場合において、電子チラシ利用登録方法によって登録された購入対象商品のリスト項目におけるサムネイル画像については、以下のように表示が行われる。
つまり、購入対象商品情報から削除されていない購入対象商品については、購入対象商品情報が示す電子チラシの有効期限が反映される。具体的に、有効期限内であれば、図７などでサムネイル画像ＴＨ１として示したように、対応の切り抜き画像が表示される。また、有効期限を経過していれば、図７などでサムネイル画像ＴＨ２のように有効期限を経過していることを示す絵柄のメッセージ画像が表示される。
また、購入対象商品情報から削除された商品については、有効期限内であるか否かにかかわらず、有効期限を経過していることを示す絵柄のメッセージ画像が表示される。
【０１１３】
図１７のフローチャートは、図８または図９に例示した詳細情報画面を表示するためにユーザ端末装置２００が実行する処理手順例を示している。
【０１１４】
ユーザ端末装置２００における購入対象商品情報表示制御部２２５は、図７または図１０に示した購入対象商品一覧画面を表示させている状態の下で、購入対象商品リスト領域ＡＲ１１におけるいずれかのリスト項目における詳細情報表示ボタンＢＴ３５が操作されるのを待機している（ステップＳ３０１−ＮＯ）。
【０１１５】
詳細情報表示ボタンＢＴ３５が操作されるのに応じて、購入対象商品情報表示制御部２２５は、詳細情報表示ボタンＢＴ３５が操作されたリスト項目に対応する購入対象商品は電子チラシ利用登録方法によって登録されたものであるか否かについて判定する（ステップＳ３０２）。
このためには、前述のように、購入対象商品情報表示制御部２２５は、詳細情報表示ボタンＢＴ３５が操作されたリスト項目に対応して購入対象商品情報記憶部２３１に記憶されている購入対象商品情報を取得する。そして、購入対象商品情報表示制御部２２５は、取得した購入対象商品情報における切り抜き画像関連情報に有意な情報が格納されているか否かについて判定すればよい。
【０１１６】
詳細情報表示ボタンＢＴ３５が操作されたリスト項目に対応する購入対象商品が、電子チラシ利用登録方法ではなく通常登録方法によって登録されたものである場合（ステップＳ３０２−ＮＯ）、購入対象商品情報表示制御部２２５は、以下の処理を実行する。つまり、購入対象商品情報表示制御部２２５は、購入対象商品の商品種別に対応する規定のアイコンを商品画像の領域に配置した詳細情報画面を表示部２０４に表示させる（ステップＳ３０３）。
【０１１７】
一方、詳細情報表示ボタンＢＴ３５が操作されたリスト項目に対応する購入対象商品が、電子チラシ利用登録方法によって登録されたものである場合（ステップＳ３０２−ＹＥＳ）、購入対象商品情報表示制御部２２５は、以下の処理を実行する。
つまり、購入対象商品情報表示制御部２２５は、詳細情報表示ボタンＢＴ３５が操作されたリスト項目に対応して購入対象商品情報記憶部２３１に記憶されている購入対象商品情報が格納する有効期限を取得する。そして、購入対象商品情報表示制御部２２５は、現在日時が有効期限内であるか否かについて判定する（ステップＳ３０４）。
【０１１８】
現在日時が有効期限内である場合（ステップＳ３０４−ＹＥＳ）、購入対象商品情報表示制御部２２５は、図８に例示したように、対応の購入対象商品情報に格納される切り抜き画像Ｐ１１を商品画像とする詳細情報画面を表示する（ステップＳ３０５）。
一方、現在日時が有効期限を経過している場合（ステップＳ３０４−ＮＯ）、購入対象商品情報表示制御部２２５は、図９に例示したように、対応の購入対象商品情報に格納されるメッセージ画像Ｐ１２を商品画像とする詳細情報画面を表示する（ステップＳ３０６）。
【０１１９】
図１８のフローチャートは、図１１にて説明した編集画面上での操作に応じてユーザ端末装置２００が実行する処理手順例を示している。
購入対象商品情報表示制御部２２５は、購入対象商品一覧画面などが表示されている状態の下で、編集画面の表示を指示する操作が行われるのを待機している（ステップＳ４０１−ＮＯ）。
【０１２０】
編集画面の表示を指示する操作が行われるのに応じて（ステップＳ４０１−ＹＥＳ）、購入対象商品管理部２２４は、図１１に例示したような編集画面を表示する（ステップＳ４０２）。
【０１２１】
ステップＳ４０２により編集画面が表示されている状態において、購入対象商品管理部２２４は、「買い物メモを空にする」ボタンＢＴ５１に対する操作が行われたか否かについて判定する（ステップＳ４０３）。
「買い物メモを空にする」ボタンＢＴ５１に対する操作が行われるのに応じて（ステップＳ４０３−ＹＥＳ）、購入対象商品管理部２２４は、購入対象商品情報記憶部２３１に記憶されている全ての購入対象商品情報を削除する（ステップＳ４０４）。
【０１２２】
一方、「買い物メモを空にする」ボタンＢＴ５１に対する操作が行われない場合（ステップＳ４０３−ＮＯ）、購入対象商品管理部２２４は、さらに、「購入済み商品を削除」ボタンＢＴ５２に対する操作が行われたか否かについて判定する（ステップＳ４０５）。
【０１２３】
「購入済み商品を削除」ボタンＢＴ５２に対する操作が行われた場合、購入対象商品管理部２２４は、購入対象商品情報記憶部２３１に記憶されている購入対象商品情報のうち、購入済みフラグが１の購入対象商品情報を削除する（ステップＳ４０６）。これにより、購入済みの購入対象商品情報の登録のみが削除される。
【０１２４】
ステップＳ４０４またはＳ４０６による購入対象商品情報の削除を実行した場合、購入対象商品情報表示制御部２２５は、これまでの編集画面の表示を終了し、購入対象商品一覧画面を表示する（ステップＳ４０７）。
【０１２５】
また、「購入済み商品を削除」ボタンＢＴ５２に対する操作が行われない場合、購入対象商品管理部２２４は、さらに、編集画面における「買い物メモを空にする」ボタンＢＴ５１及び「購入済み商品を削除」ボタンＢＴ５２とは異なる他のボタンに対する操作が行われたか否かについて判定する（ステップＳ４０８）。
他のボタンに対する操作が行われない場合（ステップＳ４０８−ＮＯ）、購入対象商品管理部２２４は、ステップＳ４０３に処理を戻す。
これに対して、他のボタンに対する操作が行われた場合には（ステップＳ４０８−ＹＥＳ）、購入対象商品管理部２２４は、他のボタンに対する操作に応じた編集に関連した処理を実行する（ステップＳ４０９）。
【０１２６】
なお、上述の制御部２０２の機能を実現するためのプログラムをコンピュータ読み取り可能な記録媒体に記録して、この記録媒体に記録されたプログラムをコンピュータシステムに読み込ませ、実行することにより上述の制御部２０２の処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０１２７】
１００  電子チラシ配信サーバ
２００  ユーザ端末装置
２０１  通信部
２０２  制御部
２０３  記憶部
２０４  表示部
２０５  操作部
２１０  電子チラシ閲覧アプリケーション対応部
２２０  購入対象商品管理アプリケーション対応部
２２１  電子チラシ取得部
２２２  切り抜き操作画面表示制御部
２２３  切り抜き画像取得部
２２４  購入対象商品管理部
２２５  購入対象商品情報表示制御部
２３１  購入対象商品情報記憶部
３００  ネットワーク
【図１】
2015049817.tif 000003
【図２】
2015049817.tif 000004
【図３】
2015049817.tif 000005
【図４】
2015049817.tif 000006
【図５】
2015049817.tif 000007
【図６】
2015049817.tif 000008
【図７】
2015049817.tif 000009
【図８】
2015049817.tif 000010
【図９】
2015049817.tif 000011
【図１０】
2015049817.tif 000012
【図１１】
2015049817.tif 000013
【図１２】
2015049817.tif 000014
【図１３】
2015049817.tif 000015
【図１４】
2015049817.tif 000016
【図１５】
2015049817.tif 000017
【図１６】
2015049817.tif 000018
【図１７】
2015049817.tif 000019
【図１８】
2015049817.tif 000020